(57)【要約】【課題】巻き戻しや早送り、曲飛ばし等の際に、ユーザにストレスを与えることなく、且つ、長時間再生（バッテリの長寿命化）が可能な携帯電子機器を提供すること。【解決手段】操作部を頻繁に操作する状況（通常モード）では、ユーザ操作に対するレスポンスが早くなるようにバッファ部３０４のバッファ使用上限値を小さく設定し、操作部をあまり操作しない状況（省電力モード）では、再生時の電力消費が小さくなるようにバッファ部３０４のバッファ使用上限値を大きく設定する。【選択図】図６
2008275796.tif 000002
【特許請求の範囲】
【請求項１】
操作部と、再生データ出力部と、バッファ部と、メモリ部と、前記メモリ部に記憶されたデータを読み出して前記バッファ部にバッファリングするバッファ制御部と、前記バッファ部よりデータを随時読み出して再生し前記再生データ出力部に出力する再生制御部とを備える携帯電子機器において、
前記バッファ制御部は、第１のイベントが発生すると、前記バッファ部に蓄積するデータのバッファ使用上限値を大きくし、第２のイベントが発生すると、前記バッファ部に蓄積するデータのバッファ使用上限値を小さくするよう制御する
ことを特徴とする携帯電子機器。
【請求項２】
前記第１のイベントは、前記操作部の無操作状態が所定時間継続したこと、前記携帯電子機器の開閉可能に構成される筐体が開状態から閉状態へと遷移したこと、前記携帯電子機器の備える表示部が省電力モードへ移行したこと、前記操作部のバックライトが省電力モードへ移行したことの少なくとも一つであり、
前記第２のイベントは、前記操作部の操作の発生、前記筐体が閉状態から開状態へと遷移したこと、前記表示部の省電力モードの解除、前記操作部のバックライトの省電力モードの解除の少なくとも一つである
ことを特徴とする請求項１に記載の携帯電子機器。
【請求項３】
前記再生データ出力部からの出力に基づいて音声出力可能であり、かつ前記メモリ部のデータの読み出しに関する指示可能なリモコン操作部を有するイヤホンをさらに備え、
前記第１のイベントは、前記リモコン操作部の無操作状態が所定時間継続したことであり、
前記第２のイベントは、前記リモコン操作部の操作の発生である
ことを特徴とする請求項１に記載の携帯電子機器。
【請求項４】
前記バッファ制御部は、前記バッファ部におけるバッファ追加闘値を超えて蓄積されたデータの量が減少すると、前記メモリ部に記憶されたデータを読み出して前記バッファ部の前記バッファ使用上限値まで新たに前記データを補充するようバッファ制御することを特徴とする請求項１乃至３の何れか１項に記載の携帯電子機器。
【請求項５】
前記再生データは、オーディオデータ又は映像データであることを特徴とする請求項１乃至４の何れか１項に記載の携帯電子機器。
【発明の詳細な説明】
【技術分野】
【０００１】
本発明は、外部補助メモリを具備する携帯電子機器に係り、特に外部補助メモリからのデータを効率的にバッファメモリにバッファリング可能な携帯電子機器に関する。
【背景技術】
【０００２】
携帯電子機器の１つである携帯電話機は、一般に基地局と無線で通信する装置であり、電話機能が主になる。しかし、現在の携帯電話機は電話機能以外に徐々にマルチメディア情報を処理する付加機能が加えられてきている。すなわち、携帯電話機にカメラを搭載して映像データを処理し、また音楽ファイル及び電子辞典などのような付加機能を処理することができる。したがって、前記のようなマルチメディア機能を処理するためには大きい容量のメモリを要する。すなわち、音楽及び写真映像（動画及び停止映像）データ等を保存するために、携帯電話機は大きいメモリが必要になる。
【０００３】
また、前述のようにマルチメディア機能を処理する携帯電話機はマルチメディアデータを保存するために容量が大きいメモリを必要とする。このため、近年の携帯電話機では、マルチメディアデータ等を保存するために外部補助メモリ（大容量メモリ）を装備している。
【０００４】
このように携帯電話機の補助メモリに大容量のものを使用する場合、該補助メモリの情報をアクセスする方法が必要になる。また、該補助メモリに保存されたデータをアクセスするために該補助メモリを駆動しなければならないが、該補助メモリの駆動に必要な電力の消耗を最小化することが望ましい。
【０００５】
近年、音楽プレーヤ機能を有する携帯電話機が増加している。この場合、オーディオを再生するときには、バッファ制御部は大容量のオーディオデータの格納エリアである外部補助メモリ（大容量のメモリカードやＲＯＭなどの不揮発性メモリ等）から再生データの一部を読み出してバッファにコピーし、再生制御部がそのバッファのデータを再生し、再生データ出力部に出力すると言う流れでオーディオの再生を行っている（図９（Ａ）参照）。また、この際、長時間再生を行うため（バッテリの長寿命化のため）に、消費電力の大きいバッファリング動作を行う部分を各ブロック毎に電源を落とす制御を行っている。これに伴い、再生のバッファの容量を大きくし、なるべく多くのデータをバッファに入れておくことで、再生制御部分のみでの動作をより長く可能とし（図９（Ｂ）参照）、再生時間を長くする手法が用いられている（例えば、特許文献１参照）。
【特許文献１】特開２００５−１９６７８１号公報
【発明の開示】
【発明が解決しようとする課題】
【０００６】
しかしながら、バッファを大きくすることにより再生時間は延びるが、巻き戻しや早送り、曲送り等でのバッファに入れたデータを最後まで使用しない状況下で使用する場合、小回りが利かず、バッファのデータを入れ替えるのに時間がかかってしまい、結果として巻き戻しや早送り、曲飛ばし等のユーザ操作に対するレスポンスが遅くなり、この結果、ユーザにストレスを与えてしまうという問題が発生する。
【０００７】
本発明は、上記問題に鑑みて成されたものであり、巻き戻しや早送り、曲飛ばし等の際に、ユーザにストレスを与えることなく、且つ、長時間再生（バッテリの長寿命化）が可能な携帯電子機器を提供することを目的とする。
【課題を解決するための手段】
【０００８】
本発明に係る携帯電子機器は、上記課題を解決するために、操作部と、再生データ出力部と、バッファ部と、メモリ部と、前記メモリ部に記憶されたデータを読み出して前記バッファ部にバッファリングするバッファ制御部と、前記バッファ部よりデータを随時読み出して再生し前記再生データ出力部に出力する再生制御部とを備える携帯電子機器において、前記バッファ制御部は、第１のイベントが発生すると、前記バッファ部に蓄積するデータのバッファ使用上限値を大きくし、第２のイベントが発生すると、前記バッファ部に蓄積するデータのバッファ使用上限値を小さくするよう制御することを特徴とする。
【０００９】
また、携帯電子機器では、前記第１のイベントは、前記操作部の無操作状態が所定時間継続したこと、前記携帯電子機器の開閉可能に構成される筐体が開状態から閉状態へと遷移したこと、前記携帯電子機器の備える表示部が省電力モードへ移行したこと、前記操作部のバックライトが省電力モードへ移行したことの少なくとも一つであり、前記第２のイベントは、前記操作部の操作の発生、前記筐体が閉状態から開状態へと遷移したこと、前記表示部の省電力モードの解除、前記操作部のバックライトの省電力モードの解除の少なくとも一つであることが好ましい。
【００１０】
また、携帯電子機器では、前記再生データ出力部からの出力に基づいて音声出力可能であり、かつ前記メモリ部のデータの読み出しに関する指示可能なリモコン操作部を有するイヤホンをさらに備え、前記第１のイベントは、前記リモコン操作部の無操作状態が所定時間継続したことであり、前記第２のイベントは、前記リモコン操作部の操作の発生であることが好ましい。
【００１１】
また、携帯電子機器では、前記バッファ制御部は、前記バッファ部におけるバッファ追加闘値を超えて蓄積されたデータの量が減少すると、前記メモリ部に記憶されたデータを読み出して前記バッファ部の前記バッファ使用上限値まで新たに前記データを補充するようバッファ制御することが好ましい。
【００１２】
また、携帯電子機器では、前記再生データは、オーディオデータ又は映像データであることが好ましい。
【発明の効果】
【００１３】
本発明によれば、省電力化が測れると共に、早送り、巻き戻し、曲飛ばし等のユーザ操作時におけるレスポンスの向上が図れ、ストレスが軽減される。
【発明を実施するための最良の形態】
【００１４】
以下、図面を参照して本発明を実施するための最良の形態を説明する。なお、以下、携帯電子機器として携帯電話機について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１５】
図１から図３により、携帯電話機１における基本構造を説明する。図１は、携帯電話機１を開いた状態（第１開状態）における正面図を示す。また、図２（Ａ）は、携帯電話機１を開いた状態における左側面図を示し、図２（Ｂ）は、携帯電話機１を開いた状態における右側面図を示す。また、図３は、携帯電話機１を開いた状態における背面図を示す。
【００１６】
携帯電話機１は、操作部側筐体２と、表示部側筐体３とを備える。操作部側筐体２と表示部側筐体３とは２軸ヒンジ機構を備える連結部４を介して連結され、該携帯電話機１を開状態及び閉状態に変形可能とすると共に、開状態及び閉状態それぞれにおいて表示部側筐体３を表状態と裏状態とに切り替えることができる。
【００１７】
ここで、閉状態とは、両筐体が互いに重なるように配置された状態であり、開状態とは、両筐体が互いに重ならないように配置された状態をいう。そして、開状態における表状態とは、後述する表示部側筐体３における表面３Ａに配置されるディスプレイ（表示部とも称する）３０と、操作部側筐体２におけるフロントケース２ａに配置される操作キー群１１とが同じ側を向くように配置された状態であり、裏状態とは、表示部側筐体３におけるディスプレイ３０と操作部側筐体２における操作キー群１１とが反対側を向くように配置された状態をいう。また、閉状態における表状態とは、表示部側筐体３におけるディスプレイ３０が操作部側筐体２における操作キー群１１に対向するように配置された状態であり、閉状態における裏状態とは、表示部側筐体３におけるディスプレイ３０が操作部側筐体２における操作キー群１１と対向せずに表出した状態である。
【００１８】
操作部側筐体２は、外面がフロントケース２ａとリアケース２ｂにより構成される。この操作部側筐体２は、フロントケース２ａ側に、操作キー群１１と、携帯電話機１の使用者が通話時に発した音声が入力される音声入力部（マイク）１２とがそれぞれ露出するように構成される。ここで、操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う決定操作キー（操作部とも称する）１５と、から構成されている。また、マイク１２は、操作部側筐体２の長手方向における連結部４側とは反対の外端部側に配置される。つまり、マイク１２は、携帯電話機１が開状態において一方の外端部側に配置される。
【００１９】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２０】
操作部側筐体２における一方の側面には、図２（Ａ）に示すように、外部機器（例えば、ホスト装置）とデータの送受信を行うためのインターフェース１６と、ヘッドホン／マイク端子１７と、着脱可能な外部メモリのインターフェース１８と、バッテリを充電するための充電端子１９とが設けられている。なお、インターフェース１６、ヘッドホン端子／マイク端子１７及びインターフェース１８は、不使用時において着脱可能な防塵対策用のキャップで覆われている。
【００２１】
操作部側筐体２における他方の側面には、図２（Ｂ）に示すように、一対のサイドキー２０と、撮像時に使用される操作キー２１と、電波の受信角度を調整可能な放送波受信用のアンテナ２２とが配置される。このサイドキー２０には、操作部側筐体２と表示部側筐体３との開閉状態や表裏状態等の変形状態や、起動されているアプリケーションの種類に応じて所定の機能が割り当てられる（キー・アサイン）。ここで、上述と同様に、サイドキー（操作部とも称する）２０が使用者により押圧されることで、携帯電話機１においてサイドキー２０に割り当てられている機能に応じた動作が実行される。
【００２２】
操作部側筐体２のリアケース２ｂには、図３に示すように、被写体を撮像するカメラ部２３と、被写体に光を照射するライト部２４とが露出して配置される。このカメラ部２３とライト部２４とは、操作部側筐体２における連結部４側に配置される。また、操作部側筐体２におけるリアケース２ｂには、詳細は後述するバッテリの収容部にバッテリを装着するための開口部が形成されると共に、該開口部を塞ぐようにバッテリーリッド２５が配置される。
【００２３】
また、操作部側筐体２の上端部と表示部側筐体３の下端部とは、図１から図３に示すように、２軸ヒンジ機構を備える連結部４を介して連結される。連結部４における一方の面（裏面）には、図３に示すように、副操作キー群３３が該携帯電話機１の幅方向（短手方向）において一列に並んで配置される。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２４】
また、表示部側筐体３は、外面がフロントケース３ａとリアケース３ｂにより構成される。表示部側筐体３におけるフロントケース３ａには、図１に示すように、各種情報を表示するための所定形状のディスプレイ３０と、通話の相手側における音声を出力する音声出力部３１とが露出するように配置される。ここで、音声出力部３１は、表示部側筐体３の長手方向における連結部４とは反対の外端部側に配置される。つまり、音声出力部３１は、携帯電話機１が開状態において他方の端部側に配置される。
【００２５】
また、表示部側筐体３のリアケース３ｂには、図３に示すように、各種情報を表示するためのサブディスプレイ３２が露出して配置される。ディスプレイ３０及びサブディスプレイ３２それぞれは、液晶パネルと、この液晶パネルを駆動する駆動回路と、この液晶パネルの背面側から光を照射するバックライト等の光源部とから構成される。
【００２６】
なお、本実施形態においては、連結部４により折り畳み可能な携帯電話機１の説明をしているが、折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転式（ターンタイプ）や、操作部側筐体２と表示部側筐体３とが１つの筐体に配置され連結部を有さない型式（ストレートタイプ）でも良い。
【００２７】
次に、図４の機能ブロック図を参照して、携帯電話機１の各機能について説明する。尚、一般に、メモリーからデータを読み出して、バッファへ蓄積するという処理（バッファリング処理）には大きな消費電力を要する。そして、この消費電力は読み出すデータのサイズよりもむしろ処理時間や処理回数に基づくところが大きい。特に大容量の外部メモリからのバッファリングの場合には、内部メモリに比べて元々アクセス速度が遅い上、容量が大きいために所望のデータへのアクセスも必然的に遅くなり、処理時間も延びる。
【００２８】
本発明によれば、省電力モード時には、例えば音楽データにして数分の再生に必要なサイズを一度にバッファリングすることにより、以降数分間アクセスすることがなくなるため、再生時間の延長につなげることが出来る。その一方で、頻繁に操作の生じる可能性のある非省電力モード時には例えば数秒単位でバッファリングすることにより、バッファリングに要する時間は大幅に短縮されるため、ユーザ操作への追従性を高めることが出来る。つまり、ユーザの使用状態に応じて、省電力と高追従という、相反するバッファリング状態を使い分けることにより、より効率の良いデータ再生が可能となる。
【００２９】
本発明は、このような携帯電子機器（携帯電話機）を提供するものである。以下、詳細に説明する。
【００３０】
携帯電話機１は、図４に示すように、第１の通信規格に準拠する通信網である無線ＬＡＮ通信網と通信可能な第１の通信部（第１の通信手段）１００と、第２の通信規格に準拠する通信網である移動体通信網と通信可能な第２の通信部（第２の通信手段）２００と、所定の処理を行う処理部２０１とを備えている。また、バッテリ９０は、第１の通信部１００と、第２の通信部２００と、処理部２０１に対して電源を供給している。また、ＣＰＵ２０２及びバッファ容量切り替え処理用制御マイコン３００は、連携（協働）して、処理部２０１に対して所定の制御を行う。
【００３１】
第１の通信部１００は、所定の通信方式（移動体通信網、例えば、ＣＤＭＡ（Ｃｏｄｅ  Ｄｉｖｉｓｉｏｎ  Ｍｕｌｉｔｉｐｌｅ  Ａｃｃｅｓｓ）２０００＿１ｘ等に準拠）に基づいて、基地局を介して他の通信端末装置との間で電話による通信やメールによる通信や、インターネット上から所定のＵＲＬを有するＷｅｂページのダウンロード等を行うアンテナ部８１と、送信回路と受信回路（図示せず）とにより構成される通信処理部１０１と、を備える。
【００３２】
また、第２の通信部２００は、所定の通信方式（無線ＬＡＮ、例えば、ＩＥＥＥ８０２．１１等）に基づいて、基地局を介して他の通信端末装置との間で電話による通信やメールによる通信や、インターネット上から所定のＵＲＬを有するＷｅｂページのダウンロード等を行うアンテナ部８０（メインアンテナ）と、送信回路と受信回路（図示せず）とにより構成される通信処理部２０３と、を備える。
【００３３】
また、処理部２０１は、操作キー群（操作部を含む）１１と、マイク１２と、ディスプレイ３０と、音声出力部３１と、所定のデータが格納されているメモリ２０４と、所定の音処理を行う音処理部２０５と、所定の画像処理を行う画像処理部２０６と、被写体を撮像するカメラ部２３と、着信音等やオーディオ再生音が出力されるスピーカ２０７と、を備え、さらにその外部に、オーディオ再生音が出力されるリモコン操作部を有するイヤホン４０１と、オーディオデータ等を記憶する外部補助メモリ３０３等を備えている。
【００３４】
次に、本発明の音楽等の再生が可能な携帯電話機１におけるバッファ容量の切り替え制御を行うバッファ容量切り替え処理用制御マイコン３００の構成について説明する。
【００３５】
図５に示すように、バッファ容量切り替え処理用制御マイコン３００は、少なくとも制御部３０１と、演算部３０２と、メモリ部（バッファ部３０４、ＲＯＭ３０５及びワーク用ＲＡＭ３０６）と、入出力手段（図示せず）とを有し、演算部３０２が前述又は後述の各種機能手段として機能する。
【００３６】
演算部３０２は、機能手段として、第１のイベント発生検出手段３０７、第２のイベント発生検出手段３０８、リモコン操作検出部３０９、バッファ制御部３１０、及び再生制御部３１１を備える。
【００３７】
制御部３０１は、ＲＯＭ３０４に記憶されたプログラムに従って、バッファ容量切り替え処理用制御マイコン３００全体を制御する。バッファ部３０４は、外部補助メモリ３０３（図４参照）より読み出されたデータを一時的に記憶する。ＲＯＭ３０５は、バッファ容量の切り替え処理を行う（後述）ためのプログラム等を記憶している。ワーク用ＲＡＭ３０６は、制御部３０１や演算部３０２がプログラム実行時に一時的に使用する記憶領域である。
【００３８】
第１のイベント発生検出手段３０７は、例えば、所定時間操作部（決定操作キー１５やサイドキー２０）の無操作状態が継続した状態又は筐体（フォルダ／フリップ等）が閉じられること、さらにはこれらに基づいて表示部３０や操作部のバックライト等が暗くなったり消灯した状態（音楽再生時における携帯電話機１の省電力モードへの移行：第１のイベント）への移行を検出する。
【００３９】
第２のイベント発生検出手段３０８は、例えば、操作部（決定操作キー１５やサイドキー２０）の操作が発生した状態又は筐体（フォルダ／フリップ等）が開かれること等により表示部３０や操作部のバックライト等が点灯した状態（音楽再生時における携帯電話機１の通常モードへの移行：第２のイベント）を検出する。
【００４０】
リモコン操作検出部３０９は、図１〜図３におけるヘッドホン／マイク端子１７へのリモコン付イヤホンの接続の検出、リモコン操作部４０１からの操作信号をＣＰＵ２０２へ伝達する。さらに、リモコン操作検出部３０９は、所定時間イヤホンのリモコン操作部の無操作状態の継続がした状態（第１のイベントの発生）、及びイヤホンのリモコン操作部の操作が検出された状態（第２のイベント発生）を検出する。
【００４１】
バッファ制御部３１０は、第１のイベント発生検出手段３０７により第１のイベントの発生が検出されるとバッファ部３０４に蓄積されるデータのバッファ使用上限値を大きく（例えば最大に）し、第２のイベント発生検出手段３０８により第２のイベントの発生が検出されるとバッファ部３０４に蓄積されるデータのバッファ使用上限値を小さくするよう制御する。
【００４２】
再生制御部３１１は、バッファ部３０４よりデータを随時読み出して再生し再生データ出力部（スピーカ２０７又はイヤホン４０１）に出力する。
【００４３】
次に、図６を参照し、本発明におけるバッファ部３０４の使用例について説明する。
【００４４】
図６（Ａ）は、操作部を頻繁に操作する状況（通常モード：巻き戻しや早送り、曲送り等を頻繁に行う場合）におけるバッファ部３０４の使用例を示したものである。同図に示すように、通常モードにおける再生状態では、巻き戻しや早送り、曲送り等が頻繁に行われる可能性があると判断し、小回りが利くよう（ユーザ操作に対するレスポンスが早くなるよう）に、バッファ使用上限値を小さく（例えば、５１２ｂｙｔｅ程度）設定している。
【００４５】
図６（Ｂ）は、操作部をあまり操作しない状況（省電力モード：巻き戻しや早送り、曲送り等をあまり行わない場合）におけるバッファ部３０４の使用例を示したものである。同図に示すように、省電力モードにおける再生状態では、巻き戻しや早送り、曲送り等が行われる可能性が少ないと判断し、再生時の電力消費が小さくなるように、バッファ使用上限値を大きく（例えば、最大値（１６Ｋｂｙｔｅ程度））設定している。
【００４６】
尚、バッファ追加閾値とは、バッファの中のデータが残り少なくなったときの、次のデータを投入する際の基準となる値であり、バッファ使用上限値とは、新たにデータを投入するときに何処まで投入するかの上限値を示すものである。
【００４７】
次に、図７を参照し、本発明のバッファ容量切り替え処理制御について説明する。
【００４８】
図７（Ａ）は、再生開始（通常モード）から省電力モードに移行した場合におけるバッファ容量の切り替え処理制御を示している。同図に示すように、（１）再生開始時は、少ないバッファ使用上限値でスタートし、（２）フォルダ／フリップが閉じられたり、ＬＣＤ（Ｌｉｑｕｉｄ  Ｃｒｙｓｔａｌ  Ｄｉｓｐｌａｙ：液晶ディスプレイ）のバックライトが暗く又は消えた状況になった場合（省電力モードに移行した場合）等は、バッファ使用上限値を移動する。これにより、次にデータが投入される場合には、フルにバッファを使うこととなり、バッファリングを一度行うと、スリープ時間を長くとることができる。
【００４９】
図７（Ｂ）は、省電力モードでの再生状態から通常モードに移行した場合におけるバッファ容量の切り替え処理制御を示している。同図に示すように、（１）あまり操作をしない状況での再生中はフルでバッファを使用（バッファ使用上限値フル）し、（２）フォルダ／フリップが開けられたりＬＣＤバックライトが点灯した場合（通常モードに移行した場合）等には、頻繁に操作（巻き戻しや早送り、曲送り等）が行われると考え、バッファ使用上限値を下げる。（３）その後、再生自体は、現在有るバッファの内容（データ）を使用し、バッファ投入の閾値（バッファ追加閾値）になった場合、（４）下げられたバッファ使用上限値までデータを投入することで、バッファの蓄積可能データ量を減らす。
【００５０】
次に、図８のバッファ容量切り替え処理フローチャートを参照して、本発明のバッファ容量切り替え処理の１例について説明する。
【００５１】
先ず、ステップＳ１において、ＣＰＵ２０２及びバッファ容量切り替え処理用制御マイコン３００は、現在携帯電話機１が音楽再生モードであるか否かを判断する。音楽再生モードで無いと判断された場合には処理をステップＳ１に移し、音楽再生モードで有ると判断された場合には処理をステップＳ２に移す。
【００５２】
ステップＳ２に移行すると、ＣＰＵ２０２及びバッファ容量切り替え処理用制御マイコン３００は、現在携帯電話機１が省電力モードであるか否かが判定される。省電力モードであると判定された場合、処理をステップＳ３に移し、バッファ使用上限値を大きく（例えばフルに）設定し、処理をステップＳ５に移す。一方、通常モード（省電力モードでない）であると判定された場合、処理をステップＳ４に移し、バッファ使用上限値を小さく設定し、処理をステップＳ５に移す。
【００５３】
ステップＳ５に移行すると、ＣＰＵ２０２及びバッファ容量切り替え処理用制御マイコン３００は、バッファ使用上限値まで外部補助メモリ３０３からバッファ部３０４にデータを補充し、処理をステップＳ６に移す。
【００５４】
ステップＳ６に移行すると、ＣＰＵ２０２及びバッファ容量切り替え処理用制御マイコン３００は、携帯電話機１の状態が変化（省電力モードから通常モードへ又はその逆）したか否かを判定する。変化有りと判定された場合には、処理をステップＳ２に移し、変化無しと判定された場合には、処理をステップＳ７に移す。
【００５５】
ステップＳ７に移行すると、ＣＰＵ２０２及びバッファ容量切り替え処理用制御マイコン３００は、現在バッファ部３０４へのバッファ蓄積データがバッファ追加閾値以下で有るか否かが判定される。バッファ追加閾値以下で無いと判定された場合には、処理をステップＳ６に移し、バッファ追加閾値以下であると判定された場合には、処理をステップＳ８に移す。
【００５６】
ステップＳ８に移行すると、ＣＰＵ２０２及びバッファ容量切り替え処理用制御マイコン３００は、現在のバッファ使用上限値まで、外部補助メモリ３０３からバッファ部３０４にデータを補充し、処理をステップＳ２に移す。
【００５７】
以上、本発明によれば、以下の効果を有する。
【００５８】
フォルダ／フリップの開閉（筐体の開閉）やＬＣＤのバックライト点灯／消灯等をトリガに、オーディオの再生バッファの使い方を切り替えることにより、長時間再生を可能としつつも、早送り、巻き戻し、曲飛ばし等のユーザ操作におけるモタツキが少なく、ユーザのストレスが軽減される省電力な携帯電子機器を提供することができる。
【００５９】
以上、実施例について説明したが、本発明はこれに限られるものではない。
【００６０】
例えば、実施例では、オーディオ再生（オーディオデータ）の場合を例に説明したが、本発明は、動画の再生（映像データ）時にも適用することができる。
【００６１】
また、再生データ出力部として、イヤホン（リモコン操作部）が使用されている場合には、例えば、所定時間イヤホンのリモコン操作部の無操作状態の継続がリモコン操作検出部３０９により検出された場合に省電力モード（第１のイベント）であると判断され、イヤホンのリモコン操作部の操作がリモコン操作検出部３０９により検出された場合に通常モードであると判断される。
【図面の簡単な説明】
【００６２】
【図１】携帯電話機を開いた状態（第１開状態）における正面図を示す。
【図２】（Ａ）携帯電話機を開いた状態における左側面図を示し、（Ｂ）携帯電話機を開いた状態における右側面図を示す。
【図３】携帯電話機を開いた状態における背面図を示す。
【図４】本発明に係る携帯電話機の機能を示すブロック図である。
【図５】バッファ容量の切り替え制御を行うバッファ容量切り替え処理用制御マイコンの構成について説明するための図である。
【図６】本発明におけるバッファ部の使用例について説明するための図である。
【図７】本発明のバッファ容量切り替え処理制御について説明するための図である。
【図８】本発明のバッファ容量切り替え処理の１例を示すフローチャートである。
【図９】従来のバッファ部の使用例について説明するための図である。
【符号の説明】
【００６３】
１  携帯電話機
２  操作部側筐体
２ａ、３ａ  フロントケース
２ｂ、３ｂ  リアケース
３  表示部側筐体
４  連結部
１１  操作キー群
１２  マイク
２３  カメラ部
３０  ディスプレイ
３１  音声出力部
８０，８１  アンテナ
１００  第１の通信部
１０１，２０３  通信処理部
２００  第２の通信部
２０１  処理部
２０２  ＣＰＵ
２０４  メモリ
２０５  音処理部
２０６  画像処理部
２０７  スピーカ（再生データ出力部）
３００  バッファ容量切り替え処理用制御マイコン
３０１  制御部
３０２  演算部
３０３  外部補助メモリ（メモリ部）
３０４  バッファ部
３０５  プログラムＲＯＭ
３０６  ワークＲＡＭ
３０７  第１のイベント発生検出手段
３０８  第２のイベント発生検出手段
３０９  リモコン操作検出部
３１０  バッファ制御部
３１１  再生制御部
４０１  イヤホン（リモコン操作部：再生データ出力部）
【図１】
2008275796.tif 000003
【図２】
2008275796.tif 000004
【図３】
2008275796.tif 000005
【図４】
2008275796.tif 000006
【図５】
2008275796.tif 000007
【図６】
2008275796.tif 000008
【図７】
2008275796.tif 000009
【図８】
2008275796.tif 000010
【図９】
2008275796.tif 000011